(57)【要約】      （修正有）【課題】組み立てが容易で、経済性に優れた載置台を提供する。【解決手段】載置台１は、上面２と、下面３と、１対の第１側面４、５と、１対の第２側面６、７とを有する直方体状の箱部と、第１側面４、５に平行に配置され、箱部の内部において上面２と下面３とを接続する支持面８と、第１側面４、５と支持面８とに直交し、箱部の内部において１対の第１側面４、５の一方と支持面８とをそれぞれ接続する１対の規制部材と、を備え、規制部材は、１対の第２側面６、７からそれぞれ連続し、第２側面６、７に対して鋭角に折り曲げられて配置するとともに、互いの先端が嵌合する嵌合部９０Ａ、９０Ｂを備える、第１規制面９Ａと、第２規制面９Ｂを有する。【選択図】図２
0003202115.tif 000002
【実用新案登録請求の範囲】
【請求項１】
物体を載置する載置台であって、
上面と、下面と、１対の第１側面と、１対の第２側面とを有する直方体状の箱部と、
前記第１側面に平行に配置され、前記箱部の内部において前記上面と前記下面とを接続する支持面と、
前記第１側面と前記支持面とに直交し、前記箱部の内部において前記１対の第１側面の一方と前記支持面とをそれぞれ接続する１対の規制部材と、を備え、
各々の前記規制部材は、前記１対の第２側面のそれぞれから連続し、前記第２側面に対して鋭角に折り曲げられて配置するとともに、互いの先端が嵌合する嵌合部を備える、第１規制面および第２規制面を有する載置台。
【考案の詳細な説明】
【技術分野】
【０００１】  本考案は、物体を載置する載置台に関する。
【背景技術】
【０００２】  従来、上面および底面に当接する複数の補強壁を備えることで、箱本体の強度を補強する段ボール製の展示台が提案されている（特許文献１参照）。
【先行技術文献】
【０００３】
【特許文献１】特許第４４６３８７３号公報
【０００４】  しかしながら、特許文献１に記載されている展示台では、箱本体とは独立して補強壁を用意する必要があり、組み立てが複雑であった。さらに、当該展示台は、箱本体と補強壁が独立しているために部材や製造のコストがかかるという問題があった。
【考案の概要】
【考案が解決しようとしている課題】
【０００５】  本考案は、このような課題を解決し、組み立てが容易で、経済性に優れた載置台を提供する。
【課題を解決するための手段】
【０００６】  上記の目的を達成するために、本考案は、物体を載置する載置台であって、上面と、下面と、１対の第１側面と、１対の第２側面とを有する直方体状の箱部と、第１側面に平行に配置され、箱部の内部において上面と下面とを接続する支持面と、第１側面と支持面とに直交し、箱部の内部において１対の第１側面の一方と支持面とをそれぞれ接続する１対の規制部材と、を備え、各々の規制部材は、１対の第２側面のそれぞれから連続し、第２側面に対して鋭角に折り曲げられて配置するとともに、互いの先端が嵌合する嵌合部を備える、第１規制面および第２規制面を有する載置台である。
【考案の効果】
【０００７】  本考案によれば、組み立てが容易で、経済性に優れた載置台を提供することができる。
【図面の簡単な説明】
【０００８】
【図１】本考案の実施形態に係る載置台の展開図である。
【図２】同載置台の透視の斜視図である。
【図３】嵌合部の他の例を示す図である。
【図４】嵌合部の他の例を示す図である。
【考案を実施するための形態】
【０００９】  以下、本考案の実施の形態を添付図面を参照して説明する。
【００１０】  図１は、本考案の実施形態における載置台１の展開図である。また、図２は、本考案の実施形態における載置台１の透視斜視図である。なお、図２に示すように、直交するＸ、Ｙ、Ｚの３軸方向を定義する。本明細書では、Ｘ方向、Ｙ方向を横方向、Ｚ方向を縦方向と称する場合がある。さらに、Ｚ方向は、紙面の上下に沿って上方向、下方向と称する場合がある。
【００１１】  載置台１は、上面２と、下面３と、１対の第１側面４，５と、１対の第２側面６、７と、支持面８と、１対の規制部材９、１０を備えて構成される。載置台１は、各面が連続した１枚の板状部材、たとえば段ボール等の部材で構成される。
【００１２】  上面２は、面２Ａ、面２Ｂとで構成される。上面２は、面２Ａ、面２Ｂが隣接して配置されることで一つの面として構成される。下面３は、面３Ａ、面３Ｂ、面３Ｃ、面３Ｄとで構成される。下面３は、面３Ａ、面３Ｂと、面３Ｃ、面３Ｄが折り重なるとともに、面３Ａ、面３Ｂが隣接して配置されることで一つの面として構成される。下面３は、上面２に平行して配置される。
【００１３】  １対の第１側面４、５は、それぞれ上面２と下面３とに連続した面である。第１側面４、５は、上面２および下面３に直交して配置される。１対の第１側面４、５は、互いに平行である。１対の第２側面６、７は、それぞれ第１側面４、５と下面３Ｃ、下面３Ｄとに連続した面である。第２側面６、７は、上面２、下面３および第１側面４、５に直交して配置される。１対の第２側面６、７は、互いに平行である。第２側面７は、第１側面４に連続して設けられたのりしろと接着することで第１側面４と連続した面を形成する。載置台１は、上面２と、下面３と、１対の第１側面４，５と、１対の第２側面６、７を折り曲げることで直方体状の箱部を構成し、その上部に展示物などの物体を載置することができる。
【００１４】  支持面８は、上面２である面２Ａ、面２Ｂにそれぞれ連続した２枚の面である。支持面８は、それぞれの面が面２Ａ、面２Ｂに対して箱部の内側に垂直に折り曲げられることで、２枚の面が重なって構成される。すなわち、支持面８は、上面２に直交する１対の第１側面４、５に対して平行に配置される。さらに、支持面８は、１対の第１側面４、５の間隔のほぼ中央に位置する。そして、支持面８は、Ｚ方向の幅が１対の第１側面４、５の幅と等しく、箱部の内部において上面２と下面３とを接続する。これにより、支持面８は、載置台１の上に物体が載置された状態で箱部が潰れないように物体を縦方向に支持する。
【００１５】  １対の規制部材９、１０は、それぞれ第１規制面９Ａ、１０Ａと、第２規制面９Ｂ、１０Ｂを有する。第１規制面９Ａ、１０Ａは、第２側面６に連続しており、第２規制面９Ｂ、１０Ｂは、第２側面７に連続している。第１規制面９Ａ、１０Ａは、第２側面６に対して鋭角に折り曲げられ、第２規制面９Ｂ、１０Ｂは、第２側面７に対して鋭角に折り曲げられることで、いずれも箱部の内部に位置している。１対の規制部材９、１０を構成する第１規制面９Ａ、１０Ａ、第２規制面９Ｂ、１０Ｂは、１対の第１側面４、５と前記支持面８とに直交している。さらに、第１規制面９Ａ、第２規制面９Ｂは、それぞれのＹ方向の幅が上面２である面２Ａの幅とほぼ等しく、第１規制面１０Ａ、第２規制面１０Ｂは、それぞれのＹ方向の幅が上面２である面２Ｂの幅とほぼ等しい。よって、規制部材９は、記箱部の内部において第１側面４と支持面８とを接続し、規制部材１０は、第１側面５と支持面８とをそれぞれ接続する。これにより、１対の規制部材９、１０は、支持面８を挟み込むようにそれぞれ配置されることで、載置台１の上に物体が載置された状態で支持面８の位置がずれないように支持面８の横方向の移動を規制する。
【００１６】  規制部材９を構成する第１規制面９Ａと第２規制面９Ｂは、互いの先端が嵌合する嵌合部９０Ａ、９０Ｂを有する。なお、規制部材１０を構成する第１規制面１０Ａと第２規制面１０Ｂも同様のため、ここでは規制部材９についてのみ説明する。図２でも規制部材９のみを斜視図として図示し、規制部材１０については省略している。記載第１規制面９Ａ、第２規制面９Ｂは、先述したとおり、第２側面６、７に対して鋭角に折り曲げられており、互いの先端が嵌合部９０Ａ、９０Ｂにより嵌合されているため、上面２の面２Ａと合わせて三角柱を形成する。これにより、規制部材９は、支持面８の横方向の移動を全面にわたって規制している。
【００１７】  図１、図２に示すように、嵌合部９０Ａは、逆台形の凸形状を有し、嵌合部９０Ｂは、逆台形の凹形状を有する。嵌合部９は、嵌合部９０Ａの凸形状の根元部分と、嵌合部９０Ｂの凹形状の底部分とが接続することにより、互いの部分を勘合する。
【００１８】  なお、図２に示す嵌合部９の形状は一例であり、これに限られない。たとえば、図３に示すように、嵌合部９０Ａと嵌合部９０Ｂが互いにＬ型の鍵形状であってもよい。この場合、嵌合部９は、互いの先端部どうしを係止することで嵌合される。また、図４に示すように、嵌合部９０Ａの凸形状と嵌合部９０Ｂの凹形状とが矩形の形状であってもよい。この場合、嵌合部９は、凸形状の幅が凹形状の幅よりも若干広く設定され、凸形状を凹形状に押し込むことで嵌合される。また、嵌合部９は、矩形の凸形状が複数連続し、対応する矩形の凹形状も複数連続する形状であってもよい。
【００１９】  以上、説明したように、本考案の実施形態では、規制部材９が、１対の第２側面６、７からそれぞれ連続し、それぞれが第２側面６、７に対して鋭角に折り曲げられて配置するとともに、互いの先端が嵌合する嵌合部９を備える第１規制面９Ａ、第２規制面９Ｂを有する。さらに、同様の構成を備える規制部材１０を備える。これにより、載置台１は、一対の規制部材９、１０によって支持面８の移動が規制されるので、物体が載置された状態で支持面８が移動して箱部が潰れることを防止することができる。そして、載置台１は、内部で箱部を補強するための支持面８および一対の規制部材９、１０を、箱部を構成する他の面に連続して構成しているので、一枚の板状部材を折り曲げるだけで構成させることができ、部材を固定するための穴を開ける必要もない。よって、載置台１は、組み立てが容易で経済性にも優れている。
【００２０】  なお、本考案の載置台は上記の実施形態に限られるものではなく、本考案の要旨を逸脱しない範囲で適宜変更できることができる。例えば、支持面８の一部を箱部の内部で折り曲げて、載置台の縦方向の強度をより強固にしてもよい。また、規制部材９の嵌合部９０Ａ、９０Ｂと、規制部材１０の勘合部１００Ａ、１００Ｂとは、上述した形状の組み合わせで異なっていてもよい。また、載置台が上に載せる対象は、展示品などの物に限られず人物でもよい。すなわち、載置台は、災害時の非常用ベッド等として適用することもできる。
【産業上の利用可能性】
【００２１】  本考案の載置台は、物体を載置する載置台の分野で幅広く利用することができる。
【符号の説明】
【００２２】  １        載置台
２        上面
３        下面
４、５    第１側面
６、７    第２側面
８        支持面
９、１０  規制部材
９０Ａ    第１規制面
９０Ｂ    第２規制面
【図１】
0003202115.tif 000003
【図２】
0003202115.tif 000004
【図３】
0003202115.tif 000005
【図４】
0003202115.tif 000006